(57)【要約】【課題】弾力片が有する付勢力による挟持力とボルトの調整特性を利用して、各種型式のノートPCに適用することができるノートPCの外付け式スピーカーの固定構造を提供する。【解決手段】スピーカー本体の片側に固定部を延伸し、該固定部の頂点面はスピーカー本体と同等の高さとし、該固定部の前側と頂点面の内壁面上にはそれぞれクッションを設置し、後側壁面には開口部とボルトを設置し、該開口部上には弾力片を設置し、ボルトの末端部位にはサポート体を螺固し、該サポート体は固定部の後側内壁面中に固定する。固定部をノートPCモニタ両側上縁に固定し、該固定部の頂点面部位とノートPCモニタの頂点縁は相互に接触し、ノートPC両側においてスピーカー本体は同等の高さとなる。弾力片によりノートPCモニタの後側壁面において挟持してスピーカー本体を固定し、ボルトにより固定及び調整を行う。【選択図】図２
0003104870.tif 000002
【実用新案登録請求の範囲】
【請求項１】
スピーカー本体の片面に固定部を設け、この固定部の前側に前側壁面を、後側に後側壁面を、上面に頂点面を形成し、前記固定部の後側壁面に開口部を設け、この開口部内に前記前側壁面方向の付勢力を付与された弾力片を設置し、
前記スピーカー本体の固定部をノートPCのモニタ片側上縁にオーバーハングさせ、前記固定部頂点面とノートPCモニタの片側頂点縁とを相互に接触させ、前記ノートPC後側壁面を前記開口部内の弾力片が押圧して生じる挟持力を利用して、前記スピーカー本体をノートPCの側部に固定することを特徴とするノートPCの外付け式スピーカーの固定構造。
【請求項２】
前記スピーカー本体の固定部に形成した後側壁面に、少なくとも一個のネジ孔を設け、該ネジ孔にはボルトを螺入し、該ボルトの末端部位にサポート体を螺固し、前記ボルトを螺入して前記サポート体がノートPCの後側壁面に接触してノートPCの後側壁面を前側壁面との間で挟持し、前記スピーカー本体を緊密に固定することを特徴とする請求項１記載のノートPCの外付け式スピーカーの固定構造。
【請求項３】
前記スピーカー本体片側の固定部の頂点面と前側内壁面とには、全てクッションを設置し、前記後側壁面の弾力片表面にも同様にクッションを設置し、ノートPCの壁面が傷つくことを防止することを特徴とする請求項１記載のノートPCの外付け式スピーカーの固定構造。
【請求項４】
前記弾力片の後端は、前記開口部端部と相互に接続し、前端は湾曲し弧状に形成されて前記固定部内に入り自由端とされていることを特徴とする請求項１記載のノートPCの外付け式スピーカーの固定構造。
【請求項５】
前記固定部の後側壁面の高さは、前側壁面より高いことを特徴とする請求項１記載のノートPCの外付け式スピーカーの固定構造。
【請求項６】
前記ボルトの断面は、Ｔ字型を呈し、その端部には回転部を備え、該回転部中央は縮小しネジを延伸し、前記ボルトは前記固定部後側壁面のネジ孔に螺入することを特徴とする請求項２記載のノートPCの外付け式スピーカーの固定構造。
【請求項７】
前記サポート体表面には、ゴム片を設置し、ノートPCの壁面が傷つくことを防止することを特徴とする請求項２記載のノートPCの外付け式スピーカーの固定構造。
【請求項８】
前記サポート体底面には、ネジ孔を設置し、該ネジ孔と前記ボルトは相互に螺固することを特徴とする請求項２記載のノートPCの外付け式スピーカーの固定構造。
【請求項９】
前記ボルトは、必要に応じて一個或いは一個以上としたことを特徴とする請求項２記載のノートPCの外付け式スピーカーの固定構造。
【考案の詳細な説明】
【技術分野】
【０００１】
本考案は、ノートPC（パーソナルコンピューター）の外付け式スピーカーの固定構造に係り、特に各種ノートPCのモニタ両側に緊密にオーバーハングさせて取り付け可能なノートPCの外付け式スピーカーの固定構造に関する。
【背景技術】
【０００２】
電子化時代の到来で、デスクトップPCは、あまねくすべての家庭に普及していると言っても過言ではない。コンピュータは、データの保存が可能である他、インターネット接続、映像、音楽鑑賞の機能を提供することができ、使用者はインターネットを通して必要な資料を手に入れ、オンラインで映像や音楽(AV)を楽しむすることができる。使用者が、AVを観賞する時、デスクトップPCに接続するスピーカーを通して音声を再生し最良の音質を達成する。このように、デスクトップPCは現代人にとって必要不可欠の製品であると言える。
【０００３】
デスクトップPCは、主にCPUとモニタとにより構成し、机上に設置し使用するもので、携帯には適していない。この欠点を解決するため、体積は小さく携帯に便利なノートPCが生まれ、正にノートのようにいつでもどこでも使用することができるようになった。しかし、ノートPCの重点は軽量で小さいことに置かれているため、スピーカーを外付けすることはできない。なぜなら、スピーカーは大きく携帯に不便であり、しかももしノートPCに無理にスピーカーを外付けしたなら、ノートPCの使用時に該スピーカーの存在空間がないという恐れがある。
【０００４】
この問題を解決するため、メーカーは通常スピーカーを内部に搭載している。しかし、これでは音質が劣るという新たな問題を引起してしまう。
【考案の開示】
【考案が解決しようとする課題】
【０００５】
従来の構造には以下の欠点があった。すなわち、従来のノートPCのスピーカーは内部に搭載する形式であるため再生される音質が低い。また、従来の外付け式スピーカーの体積は膨大であるため、携帯に不便である。
【０００６】
さらに、従来のノートPCにスピーカーを外付けすると、しばしばスピーカーを設置する空間がないという問題がある。
【０００７】
本考案は上記構造の問題点を解決したノートPCの外付け式スピーカーの固定構造を提供するものである。
【課題を解決するための手段】
【０００８】
上記課題を解決するため、本考案によるノートPCの外付け式スピーカーの固定構造は、スピーカー本体の片面に固定部を設け、この固定部の前側に前側壁面を、後側に後側壁面を、上面に頂点面を形成し、前記固定部の後側壁面に開口部を設け、この開口部内に前記前側壁面方向の付勢力を付与された弾力片を設置し、
前記スピーカー本体の固定部をノートPCのモニタ片側上縁にオーバーハングさせ、前記固定部頂点面とノートPCモニタの片側頂点縁とを相互に接触させ、前記ノートPC後側壁面を前記開口部内の弾力片が押圧して生じる挟持力を利用して、前記スピーカー本体をノートPCの側部に固定することを特徴とする。
【考案の効果】
【０００９】
上記のように本考案は、スピーカーをノートPCの側部に固定するため、場所を取る恐れはない。また、本考案は弾力片が有する挟持力とボルトの調整特性を利用して、各種型式のノートPCに適用することができる。さらに、本考案はスピーカー本体をノートPCモニタの片側上縁にオーバーハングするため、同じ高さとなり、左右側部に取り付ける２個のスピーカー本体を目測で調整する必要がなく、ノートPCの外観を美しく整える効果をも有する。また、本考案のスピーカー本体は体積が小さいため、携帯に非常に便利である。
【考案を実施するための最良の形態】
【００１０】
以下、図面を参照して本考案の実施例を説明する。
【実施例】
【００１１】
図１、２、３、４に示すように、一実施例のノートPCの外付け式スピーカー固定構造は、主にスピーカー本体１、ボルト３、サポート体４を備えている。前記スピーカー本体１の片側には、固定部１１を延伸し、この固定部１１の前側に前側壁面１１２を、後側に後側壁面１１３を、上面に頂点面１１１を形成している。また、前記固定部の後側壁面には開口部１３を設け、この開口部１３内に前記前側壁面１１３方向の付勢力を付与された弾力片１４を設置している。
【００１２】
前記固定部１１の頂点面１１１は、前記スピーカー本体１と同じ高さである。前記スピーカー本体１の後側壁面１１３の高さは、前側壁面１１２より高く、前記固定部１１の頂点面１１１と該前側壁面１１２とには第一クッション２１と第二クッション２２が密着するようになっている。前記弾力片１４の後端は、開口部１３の端部に固定されていると共に、前側は湾曲して弧状に形成され前記固定部内に延設して自由端となっている。これにより、該弾力片１４の長さは、開口部１３よりやや短くなり、該開口部１３と相互に対応し、該開口部１３中において自由に移動し、前記弾力片１４の表面において第三クッション２３を結合している。
【００１３】
前記後側壁面１１３には、少なくとも一つのネジ孔１２を設置し、前記ボルト１３が螺入されるようになっている。前記ボルト３の断面はＴ字型で、回転部３１を備えている。該回転部３１中央は、縮小しネジを延伸している。前記サポート体４の底面には、ネジ孔４１を設置し、頂点面にはゴム片４２を結合している。
【００１４】
前記ボルト３のネジ３２は、前記スピーカー本体１片側の固定部１１後側壁面１１３のネジ孔１２に螺入する。これにより、前記ネジ３２端部は、該ネジ穴１２を貫通し、該スピーカー本体１片側の固定部１１に入り、前記サポート体４のネジ孔４１と該ボルト３のネジ３２端部は相互に固定される。こうして、サポート体４は、固定部１１の後側内壁面中に固定される。
【００１５】
次に、図３、５、６に示すように、本考案一実施例のスピーカー本体１の固定部１１は、ノートPC５のモニタ５１両側上縁５１１にオーバーハングされる。これにより、前記固定部１１の頂点面１１１部位とノートPC５のモニタ５１上縁５１１は相互に接触し、該スピーカー本体１の高さを調節する必要なく、同等の高さとすることができる。前記弾力片１４及び前記ボルト３は、ノートPC５の後側壁面において見た目の美しさを達成する。この時、前記弾力片１４は、ノートPC５の後側壁面５２において押圧され、後側壁面５２に圧迫されるため、前記弾力片１４は該開口部１３に向かい下方へと押され、挟持力を生じる。こうして前記スピーカー本体１は、弾力片１４が生じる挟持力の影響を受け、先ずスピーカー本体１を最良の固定位置に調整後、さらにボルトの調整特性を利用し、該ボルト３の回転部３１を通して、該ネジ３２を固定部１１内に螺入する。こうして、ボルト３端部のサポート体４は相対し前へと移動し、ノートPC５のモニタ５１後側壁面において緊密に挟持し、ノートPC５の両側上縁５１１、前壁面５３、後壁面５２は、固定部１１頂点面内壁面１１１、前側壁面１１２、後側壁面１１３の第一、二、三クッション２１、２２、２３、及びサポート体４のゴム片４２と緊密に接触する。前記第一、二、三クッション２１、２２、２３、及びゴム片４２は、ノートPC５壁面の傷を防止することができるばかりでなく、スピーカー本体１をノートPC５モニタ５１両側に緊密に固定する効果も備えるため、スピーカー本体１は揺れたり、脱落したりする恐れはない。
【００１６】
前記弾力片１４が挟持力を発揮するため、スピーカー本体１をノートPC５の両側に固定することができ、さらに、ボルト３の調整特性により、スピーカー本体１は各種形式のノートPC５に適用可能となる。しかも、スピーカー本体１はノートPC５のモニタ５１両側に固定されるため、操作の邪魔となるような場所を取るという欠点は存在せず、スピーカー本体１の体積も小さいため、携帯においても非常に便利である。
【００１７】
このように、本考案の一実施例では、弾力片によりまずノートPC壁面を係合し、次にボルトの調整特性を利用し、スピーカー本体を各種形式のノートPCに適用することができる。
【図面の簡単な説明】
【００１８】
【図１】本考案一実施例のノートPCの外付け式スピーカー固定構造を示す分解斜視図である。
【図２】本考案一実施例のノートPCの外付け式スピーカーの固定構造の斜視図である。
【図３】本考案一実施例のノートPCの外付け式スピーカーの固定構造を示す断面図である。
【図４】本考案一実施例のノートPCの外付け式スピーカーの固定構造を示す背面から見た斜視図である。
【図５】本考案一実施例のノートPCの外付け式スピーカーの固定構造を示す斜視図である。
【図６】本考案実施例のノートPCの外付け式スピーカーの固定構造を示す背面から見た斜視図である。
【符号の説明】
【００１９】
１  スピーカー本体
１１  固定部
１１１  頂点面
１１２  前側壁面
１１３  後側壁面
１２  ネジ孔
１３  開口部
１４  弾力片
２１  第一クッション
２２  第二クッション
２３  第三クッション
３  ボルト
３１  回転部
３２  ネジ
４  サポート体
４１  ネジ孔
４２  ゴム片
５  ノートPC
５１  モニタ
５２  前側壁面
５３  後側壁面
５１１  上縁
代理人  弁理士    伊藤  進
【図１】
0003104870.tif 000003
【図２】
0003104870.tif 000004
【図３】
0003104870.tif 000005
【図４】
0003104870.tif 000006
【図５】
0003104870.tif 000007
【図６】
0003104870.tif 000008